(57)【要約】    【課題】  本発明は、自立性を向上させたブロックを提供することにある。    【解決手段】  本発明に係る自立性ブロックＡは、垂直壁部１０と該垂直壁部１０の下部に設けたベース部２０とからなり、該ベース部２０は、前記垂直壁部１０の下部において該垂直壁部１０の裏側１１に水平方向に張り出して設け、垂直壁部１０とベース部２０とに高さ調節部材３０を配し、垂直壁部１０の内部に垂直方向に貫通し、下部１５ａから上部１５ｂに向かって穴の断面積が大きくなる支柱貫通用穴１５を備え、ベース部２０にコンクリート充填用穴２１を設けたものである。【選択図】        図３
2005133439.tif 000002
【特許請求の範囲】
【請求項１】
垂直壁部と該垂直壁部の下部に設けたベース部とからなり、該ベース部は、前記垂直壁部の下部において該垂直壁部の表側と裏側の一方又は双方に水平方向に張り出して設けられてなることを特徴とする自立性ブロック。
【請求項２】
垂直壁部とベース部とに高さ調節部材を配したことを特徴とする請求項１に記載の自立性ブロック。
【請求項３】
垂直壁部の内部に垂直方向に貫通する支柱貫通用穴を備えていることを特徴とする請求項１又は２に記載の自立性ブロック。
【請求項４】
支柱用貫通穴が下部から上部に向かってその断面積が大きくなるように構成したことを特徴とする請求項３に記載の自立性ブロック。
【請求項５】
ベース部にコンクリート充填用穴を設けたことを特徴とする請求項１〜４のいずれか１項に記載の自立性ブロック。
【発明の詳細な説明】
【技術分野】
【０００１】
本発明は、塀、安全柵、擁壁などの起立構築物に使用される土木用又は建築用のブロックに関し、特に自立性能を有するブロックに関する。
【背景技術】
【０００２】
従来より土木用又は建築用のコンクリート製のブロックは、工場で生産され、工事現場で組み上げる方法が採用されている。そのようなブロックは、製造の容易性や保管及び運搬の際の収容スペースの効率性を考慮して直方体の形状に形成されている。
【０００３】
また、従来のブロックは鉄筋等の支柱を貫通させるための支柱貫通用穴が全長に亘って同一形状で同一大のものであり、この支柱貫通用穴に支柱を貫通させて支柱貫通用穴にコンクリートを充填して固めていた。
【発明の開示】
【発明が解決しようとする課題】
【０００４】
しかしながら、上記従来のブロックは自立性が十分でないため、保管中、運搬中及び工事中にブロックが倒れるおそれがあり、そのためにブロックが倒れない工夫をする必要がある。また、たとえそのような工夫をしても、ブロックが倒れる場合もあり、しかも重量物であるがために起立状態に戻すことが容易でなく、また、物の破損や人身事故が発生する場合もある。
【０００５】
また、従来のブロックの支柱貫通用穴に支柱を貫通させて支柱貫通用穴にコンクリートを充填して固めたときに、全長に亘って同一形状で同一大の空洞に全長に亘って同一形状で同一大の軸状のコンクリート部が嵌り込む状態となっているので固着性がそれほど高いものではなかった。
【０００６】
そこで、本発明者は、上記従来のブロックに対する問題点に鑑み、鋭意研究を重ねた結果、自立性を向上させ、固着性を高めたブロックを開発した。
【課題を解決するための手段】
【０００７】
本発明に係る自立性ブロックは、垂直壁部と該垂直壁部の下部に設けたベース部とからなり、前記ベース部は、前記垂直壁部の下部において該垂直壁部の表側と裏側の一方又は双方に水平方向に張り出して設けられてなることを特徴とするものである。
【０００８】
このように構成することにより、ベース部により垂直壁部が支持されるため、ブロックの自立性が向上して倒れにくくなる。
【０００９】
また、上記構成に加え、垂直壁部とベース部とに高さ調節部材を配する構成としてもよい。
【００１０】
このように構成すると、ブロックを起立させたときに、ブロックが傾斜するようなことがあってもこれを補正することができる。
【００１１】
さらに、上記の構成に加え、垂直壁部の内部に垂直方向に貫通する支柱貫通用穴を備える構成としてもよい。
【００１２】
このように構成すると、ブロックを組み上げる際に、支柱貫通用穴を前記支柱に嵌めてブロックを設置することができる。
【００１３】
また、支柱用貫通穴を下部から上部に向かって断面積が大きくなるように構成すると、支柱用貫通穴に充填されて固まる軸状のコンクリート部が下部から上部に向かって断面積が大きなる。
【００１４】
さらにまた、ベース部にコンクリート充填用穴を設けた場合には、コンクリート充填用穴から充填したコンクリートがベース部の下方に入り込む。
【発明の効果】
【００１５】
本発明に係る自立性ブロックは、垂直壁部と該垂直壁部の下部に設けたベース部とからなり、前記ベース部は、前記垂直壁部の下部において該垂直壁部の表側と裏側の一方又は双方に水平方向に張り出して設けられてなるものであるから、ベース部により垂直壁部が支持されるため、ブロックの自立性が向上して倒れにくくなるので、ブロックが倒れることに起因する起立状態に戻すことの面倒さや物の破損や人身事故が発生するおそれがなくなる。
【００１６】
また、上記構成に加え、垂直壁部とベース部とに高さ調節部材を配する構成とした場合には、ブロックを起立させたときに、設置場所が水平でなかったり、凹凸があったりして、ブロックが傾斜するようなことがあってもこれを補正することができるので、常にブロックを垂直の状態で起立させることができる。
【００１７】
さらに、上記の構成に加え、垂直壁部の内部に垂直方向に貫通する支柱貫通用穴を備える構成とした場合には、ブロックを組み上げる際に、支柱貫通用穴に合った支柱を適宜構築し、支柱貫通用穴を前記支柱に嵌めてブロックを設置することができる。このブロックの設置状態において、支柱により安定したブロックの起立状態が維持できることに加え、ブロック自体のベース部に起因する自立性能により一層安定したブロックの起立状態が維持できるので、工事の作業性がよく、また、フロックを組み上げて完成した塀、安全柵、用壁などの起立構築物の起立状態の安定性が向上し、衝撃や押圧に対する耐久性が増大するので起立構築物が倒れるのを防止できる。
【００１８】
また、支柱用貫通穴を下部から上部に向かって断面積が大きくなるように構成すると、支柱用貫通穴に充填されて固まる軸状のコンクリート部が下部から上部に向かって断面積が大きくなるので、その形状によりブロックと軸状のコンクリート部との固着性が向上する利点がある。
【００１９】
さらにまた、ベース部にコンクリート充填用穴を設けた場合には、ブロックを設置してブロックをコンクリートで基礎固めする際に、コンクリート充填用穴からコンクリートを充填すると、コンクリートがベース部の下方に入り込むので、隙間などが生じることなく完全な基礎固めができる利点がある。
【発明を実施するための最良の形態】
【００２０】
以下に本発明の好適な実施例を図に基いて詳細に説明する。実施例１は、ベース部が垂直壁部の裏側に水平方向に張り出して設けたものであり、実施例２は、ベース部が垂直壁部の表側と裏側の双方に水平方向に張り出して設けたものである。
【実施例１】
【００２１】
図１は本実施例に係る自立性ブロックの斜視図であり、図２は本実施例に係る自立性ブロックの裏面側から見た斜視図であり、図３は自立性ブロックを支柱に嵌め込んで基礎固めをした状態を示す縦断面図である。
【００２２】
図において、Ａは本実施例に係る自立性ブロックを示す。該自立性ブロックＡは、垂直壁部１０と該垂直壁部１０の下部に設けたベース部２０とからなる。前記ベース部２０は、前記垂直壁部１０の下部において該垂直壁部１０の裏側１１に水平方向に張り出して設けられてなるものである。したがって、このベース部２０により垂直壁部１０が支持されるため、ブロックＡの自立性が向上して倒れにくくなる。よって、本実施例に係るブロックＡは、従来のブロックのように倒れることに起因する起立状態に戻すことの面倒さや物の破損や人身事故が発生するおそれがなくなる。
【００２３】
また、３０は、垂直壁部１０とベース部２０との裏面に配した高さ調節部材である。この高さ調節部材３０は、ねじ部材３１と垂直壁部１０及びベース部２０の裏面に取り付けたナット部材３２とからなり、該ナット部材３２に螺合したねじ部材３１を回転により進退させて垂直壁部１０とベース部２０とを上下させることにより高さを調節することができる。この調節部材３０を配すると、ブロックＡを起立させたときに、設置場所が水平でなかったり、凹凸があったりして、ブロックＡが傾斜するようなことがあってもこの高さ調節部材３０により、この傾斜を補正することができるので、常にブロックＡを垂直の状態で起立させることができる。
【００２４】
１５は、垂直壁部１０の内部に垂直方向に貫通する支柱貫通用穴である。図３に示すように、この支柱貫通用穴１５は、ブロックＡを組み上げる際に、ブロックＡに設置する場所に構築された鉄筋等の支柱５１に嵌め込んで、ブロックＡの起立状態を安定させるためのものである。該支柱貫通用穴１５と支柱５１との関係は、支柱５１と該支柱貫通用穴１５とが嵌合可能であり、かつ、該支柱貫通用穴１５を設けた間隔と支柱５１との間隔を等しくするように設計する。このように設計して構築した支柱５１と支柱貫通用穴１５とにより支柱貫通用穴１５を前記支柱５１に嵌めんでブロックＡを設置する。このブロックＡの設置状態において、支柱５１により安定したブロックＡの起立状態が維持できる。さらにこの起立状態の維持に加え、ブロックＡ自体のベース部２０に起因する自立性能により一層安定したブロックＡの起立状態が維持できる。したがって、工事の作業性がよく、また、フロックＡを組み上げて完成した塀、安全柵、用壁などの起立構築物の起立状態の安定性が向上し、衝撃や押圧に対する耐久性が増大するので起立構築物が倒れるのを防止できる。
【００２５】
しかも前記支柱貫通用穴１５は、下部１５ａから上部１５ｂに向かって、その断面積が大きくなるように構成しているため、支柱用貫通穴１５に充填されて固まる軸状のコンクリート部７０が下部から上部に向かって断面積が大きくなる。したがって、ブロックＡと充填されて固まった軸状のコンクリート部７０との固着構造が、該軸状のコンクリート部７０の断面積が下部から上部に向かって大きくなる形状によって、ブロックＡと充填されて固まった軸状のコンクリート部７０との固着性が向上する。
【００２６】
なお、上記支柱５１は直角に折曲した鉄筋等の支柱体５０の垂直部分であるが、この支柱５１の下端からはベース部２０の下方を水平方向に延びる水平支柱５２が配され、該水平支柱５２上にはこの水平支柱５２と直角に交差し、水平支柱５２と合わせて格子状をなす押さえ鉄筋５３が配されている。また、ベース部２０の上方にも縦横に交差した押さえ鉄筋５５が配されている。そして、ブロックＡの下方における水平支柱５２及び押さえ鉄筋５３、ベース部２０の周囲全体、ベース部２０の上方における押さえ鉄筋５５が全て埋没するようにコンクリートが充填されてブロックＡを固定する基礎部８０が構築される。したがって、水平支柱５２及び押さえ鉄筋５３によって支柱体５０の補強がなされることによりブロックＡ全体の補強がなされ、また、ベース部２０の上方に配した押さえ鉄筋５５により垂直壁部１０に掛かる力によりベース部２０が持ち上がるのを防止し、ひいてはブロックＡの強度を著しく向上させている。なお、上記のブロックＡの下方における水平支柱５２及び押さえ鉄筋５３とベース部２０の上方における押さえ鉄筋５５とを垂直方向に配した連結鉄筋５６により連結すれば、より一層強固なものとなる。
【００２７】
４０は、ベース部２０に設けたコンクリート充填用穴である。ブロックＡを設置してブロックＡをコンクリートで基礎固めする際に、該コンクリート充填用穴４０からコンクリートを充填すると、図３に示すように、コンクリート充填用穴４０に充填されたコンクリート部６０がベース部２０の下方に入り込むので、隙間などが生じることなく完全な基礎固めができる利点がある。
【実施例２】
【００２８】
図４は本実施例に係る自立性ブロックの斜視図である。
【００２９】
図において、Ｂは本実施例に係る自立性ブロックを示す。該自立性ブロックＢは、垂直壁部１１０と該垂直壁部１１０の下部に設けたベース部１２０とからなる。前記ベース部１２０は、前記垂直壁部１１０の下部において該垂直壁部１１０の裏側１１１と表側１１２との双方に水平方向に張り出して設けられてなるものである。したがって、このベース部１２０により垂直壁部１１０が支持されるため、ブロックＢの自立性が向上して倒れにくくなる。よって、本実施例に係るブロックＢは、従来のブロックのように倒れることに起因する起立状態に戻すことの面倒さや物の破損や人身事故が発生するおそれがなくなる。
【００３０】
また、１３０は、垂直壁部１１０とベース部１２０との裏面に配した高さ調節部材である。この高さ調節部材１３０は、ねじ部材１３１と垂直壁部１１０及びベース部１２０の裏面に取り付けたナット部材１３２とからなり、該ナット部材１３２に螺合したねじ部材１３１を回転により進退させて垂直壁部１１０とベース部１２０とを上下させることにより高さを調節することができる。この調節部材１３０を配すると、ブロックＢを起立させたときに、設置場所が水平でなかったり、凹凸があったりして、ブロックＢが傾斜するようなことがあってもこの高さ調節部材１３０により、この傾斜を補正することができるので、常にブロックＡを垂直の状態で起立させることができる。
【００３１】
１１５は、垂直壁部１１０の内部に垂直方向に貫通する支柱貫通用穴である。この支柱貫通用穴１１５は、図示は省略するが、ブロックＢを組み上げる際に、実施例１において説明したように、ブロックＢに設置する場所に構築された鉄筋等の支柱に嵌め込んで、ブロックＢの起立状態を安定させるためのものである。該支柱貫通用穴１１５と支柱との関係は、支柱と該支柱貫通用穴１１５とが嵌合可能であり、かつ、該支柱貫通用穴１１５を設けた間隔と支柱との間隔を等しくするように設計する。このように設計して構築した支柱と支柱貫通用穴１１５とにより支柱貫通用穴１１５を前記支柱に嵌めんでブロックＢを設置する。このブロックＢの設置状態において、支柱により安定したブロックＢの起立状態が維持できる。さらにこの起立状態の維持に加え、ブロックＢ自体のベース部１２０に起因する自立性能により一層安定したブロックＢの起立状態が維持できる。したがって、工事の作業性がよく、また、フロックＢを組み上げて完成した塀、安全柵、用壁などの起立構築物の起立状態の安定性が向上し、衝撃や押圧に対する耐久性が増大するので起立構築物が倒れるのを防止できる。
【００３２】
しかも前記支柱貫通用穴１１５は、下部１１５ａから上部１１５ｂに向かって、その断面積が大きくなるように構成しているため、支柱用貫通穴１１５に充填されて固まる軸状のコンクリート部が下部から上部に向かって断面積が大きくなる。したがって、ブロックＢと充填されて固まった軸状のコンクリート部との固着構造が、該軸状のコンクリート部の断面積が下部から上部に向かって大きくなる形状によって、ブロックＢと充填されて固まった軸状のコンクリート部との固着性が向上する。
【００３３】
なお、図示は省略するが、実施例１で説明したように、上記支柱は直角に折曲した鉄筋等の支柱体の垂直部分であるが、この支柱の下端からはベース部１２０の下方を水平方向に延びる水平支柱が配され、該水平支柱上にはこの水平支柱と直角に交差し、水平支柱と合わせて格子状をなす押さえ鉄筋が配されている。また、ベース部１２０の上方にも縦横に交差した押さえ鉄筋が配されている。そして、ブロックＢの下方における水平支柱及び押さえ鉄筋、ベース部１２０の周囲全体、ベース部１２０の上方における押さえ鉄筋が全て埋没するようにコンクリートが充填されてブロックＢを固定する基礎部が構築される。したがって、水平支柱及び押さえ鉄筋によって支柱体の補強がなされることによりブロックＢ全体の補強がなされ、また、ベース部１２０の上方に配した押さえ鉄筋により垂直壁部１１０に掛かる力によりベース部１２０が持ち上がるのを防止し、ひいてはブロックＢの強度を著しく向上させている。なお、上記のブロックＢの下方における水平支柱及び押さえ鉄筋とベース部１２０の上方における押さえ鉄筋とを垂直方向に配した連結鉄筋により連結すれば、より一層強固なものとなる。
【００３４】
１４０は、ベース部１２０に設けたコンクリート充填用穴である。ブロックＢを設置してブロックＢをコンクリートで基礎固めする際に、該コンクリート充填用穴１４０からコンクリートを充填すると、実施例１において説明したように、充填されたコンクリート部１６０がベース部１２０の下方に入り込むので、隙間などが生じることなく完全な基礎固めができる利点がある。
【００３５】
なお、上記の実施例は、これに限定されるものではなく、特許請求の範囲に記載した広範囲な実施形態を包含するものである。
【産業上の利用可能性】
【００３６】
本発明に係る自立性ブロックは、塀、安全柵、擁壁などの起立構築物に使用される土木用又は建築用のブロックである。
【図面の簡単な説明】
【００３７】
【図１】実施例１に係る自立性ブロックの斜視図である。
【図２】実施例１に係る自立性ブロックの裏面側から見た斜視図である。
【図３】実施例１に係る自立性ブロックを支柱に嵌め込んで基礎固めをした状態を示す縦断面図である。
【図４】実施例２に係る自立性ブロックの斜視図である。
【符号の説明】
【００３８】
Ａ・・・・自立性ブロック        １０・・・垂直壁部
１１・・・垂直壁部の裏側        １５・・・支柱貫通用穴
１５ａ・・支柱貫通用穴の下部    １５ｂ・・支柱貫通用穴の上部
２０・・・ベース部              ３０・・・高さ調節部材
３１・・・ねじ部材              ３２・・・ナット部材
４０・・・コンクリート充填用穴  ５０・・・支柱体
５１・・・支柱（鉄筋）          ５２・・・水平支柱
５３・・・押さえ鉄筋            ５５・・・押さえ鉄筋
５６・・・連結鉄筋
６０・・・コンクリート充填用穴に充填されたコンクリート
７０・・・支柱貫通用穴に充填された軸状のコンクリート部
８０・・・基礎部
Ｂ・・・・自立性ブロック        １１０・・垂直壁部
１１１・・垂直壁部の裏側        １１５・・支柱貫通用穴
１１５ａ・支柱貫通用穴の下部    １１５ｂ・支柱貫通用穴の上部
１２０・・ベース部              １３０・・高さ調節部材
１３１・・ねじ部材              １３２・・ナット部材
１４０・・コンクリート充填用穴
【図１】
2005133439.tif 000003
【図２】
2005133439.tif 000004
【図３】
2005133439.tif 000005
【図４】
2005133439.tif 000006